(57)【要約】【課題】パチンコ・パチスロ機等の中枢部である電子回路部への不正行為が横行し、パチンコ・パチスロ等の遊技機を設置する遊技機ホールの経営者達が、年間数千億円にも達する莫大な損害を蒙っているだけではなく、善良なる遊技機愛好者たる一般市民達も間接的に大きな影響を受けている。このような遊技機への不正行為と遊技機ホール経営者達の損害を確実に軽減し、一般市民達の遊技機業界への信頼度を高めその健全性を向上させる。【解決手段】１上蓋、２切断中蓋、３蓋開放検出回路、４底箱から構成される封止箱と、フレキシブル・フラット・ケーブルで作られた５封止線材の組合せによって、電子回路を収容する透明樹脂製箱すなわち６収容箱への開封現象を電気的に瞬時に検知でき，電子回路部への不正行為を確認することにより迅速な対応が可能となる。【選択図】図２
2006075568.tif 000002
【特許請求の範囲】
【発明の詳細な説明】
【発明の詳細な説明】
【技術分野】
【０００１】  本発明は断線検出式開封監視用センサー素材として，フレキシブル・フラット・ケーブルを用い、開封事象を電気的に瞬時に検知することができる封止線材と封止線材の固定箱に関する。
【背景技術】
【０００２】  パチンコ・パチスロ等の遊技機は、その作動の中心的な制御を機械的なものからマイクロコンピュ−タを使用した電子的なものに変化している。この電子回路には制御プログラムを格納するメモリーが搭載されており、そのメモリーを交換したり内容を書き換える行為が発生した場合、その事象を確認すべく機械的な封印「カシメ構造」やメーカー名を記した「封印シール」が利用されている。【０００３】  「カシメ構造」や「封印シール」では問題が発生したことを確認するには、目視点検に依存することとなり，点検確認の精度は実行する検査員の個人的技量の差異により検査結果の信頼性が異なる可能性が極めて大きい。また検査した時刻が異常発見時刻となり異常を起こさせた行為がいつ行われたかを特定することが出来ないため、不正行為等の犯罪を抑止する力が乏しい。最近はこれらのメモリー等を搭載した電子基盤を格納する透明樹脂製箱すなわち収容箱ごと交換されるまでに至っている。これでは何らの証拠も残らないことになる。【０００４】  このような事象を電気的に監視する手段として、粘着式の封止シールに電気的な閉回路を印刷技術によって設け、粘着式封止シールを剥離または切断された状態を異常発生と認識するものはあるが、以下の問題を解決する必要がある。【０００５】
【特許文献】  特公平１３−３３７６０５号公報
【発明の開示】
【発明が解決しようとする課題】
【０００６】  上記のような粘着式封止シールをパチンコ・パチスロ等遊技機の制御回路が装填されている透明樹脂製箱すなわち収容箱に対して使用したとき、以下の問題の発生が考えられる。【０００７】  パチンコ・パチスロ等遊技機は稼動時と非稼動時ではその機械を構成している機材の温度差が大きく、そこに貼付されたセンサーのセンサー部すなわち粘着貼付面が温度変化による膨張力・収縮力に耐え切れず自己断線する。【０００８】  また遊技機が非稼動となり温度が低下すると収縮して自己断線した部位が、導通状態に復帰する可能性があり非常に不安定である。【０００９】  遊技機からパチンコ玉が落下し粘着式封止シールに直接当たった場合、引張り力が粘着貼付面にかかり自己断線する。【００１０】  貼付される側の材質との相性によっては、時間の経過とともに自然剥離する可能性がある。これは貼付面が金属である場合に多く見られる。【００１１】  貼付に失敗した場合張り直すこととなるが、ここで剥離するとセンサー部分は破壊され、再度新品で貼付し直す等施工が煩雑になる。【００１２】  粘着式封止シールの部位のうち「粘着性の無い導線部」に風があたり、粘着式封止シールが共振運動することがあり、このとき粘着貼付面のセンサー部と導線部の境界に曲げ力が加わり自己断線する可能性がある。これは振動する周波数によるが、正常状態と断線状態が極めて短時間に何度も繰り返されることを意味する。
【課題を解決するための手段】
【００１３】  複数本の板状導線を樹脂フィルムで挟み込んだ配線材すなわちフレキシブル・フラット・ケーブルを封止線材として、封止する収容箱に帯状もしくは十字状に巻き付けた後その終端部と電気的に結合された監視機能を持つプリント配線基盤と、封止線材を容易に切断出来得る刃と、それを固定する封止箱で構成する。【００１４】  封止箱は上蓋下部を内側に折り曲げ、底箱下部を抱え込む爪状構造を有し、一旦組み合わされると破壊せずには開封できない構造を備えている。【００１５】  遊技機の電子回路部を収容する収容箱を搭載する遊技機の特定部位たとえば収容箱を固定している柱状の部位や、周囲の格子状物・輪状物・穴・隙間などに、封止線材を巻き込んで封緘すると、収容箱の開封だけではなく収容箱自体の取り外しをも監視することが出来る。【００１６】  不正行為者が収容箱に不正行為を働く場合、封止線材を切断したり収容箱に巻き付けた封止線材を無理に除去しようとしたとき、緊張した封止線材は切断刃によって切断され、不正行為が瞬時に検知される。【００１７】  また不正行為者が封止箱を無理にこじ開けた場合も、蓋開放認識スイッチ１および２によって固定箱の蓋の開放が検知され、収容箱への不正行為が認識される。
【発明の効果】
【００１８】  本発明は、以上説明したように構成されているので、以下に記載されているような効果を奏する。【００１９】  パチンコ・パチスロ機等の遊技機における最重要部位である電子回路部の収容箱の異常な開封を瞬時に検知し、電子回路部の不正な取替えや不正な変更の可能性を確認でき迅速な対応が可能となり、パチンコ・ホール経営者の損害を軽減することが出来る。【００２０】  パチンコ・パチスロ機等の遊技機メーカーにおける製造過程での取り付けにより、工場出荷後の輸送途上・倉庫保管時等を含めて、いわゆる工場出荷から設置・廃棄までの不正監視に有効な手段となる。【００２１】  パチンコ・パチスロ機等の遊技機業界における年間数千億円とも言われる巨大な損害を軽減化でき、不正行為等そのものの犯罪行為の減少化とともに、遊技機業界への信頼度向上に大きく役立つ。
【発明を実施するための最良の形態】
【００２２】  発明の実施の形態を実施例に基づき図面を参照して説明する。【００２３】  図１において、４底箱の裏の４３両面テープの剥離紙を剥がし、図２における６収容箱に貼付する。【００２４】  図１、図２において、３蓋開放検出回路の３１コネクターの３６封止線材挿入口に５封止線材の終端を挿入し３４終端回路と電気的に結合させる。挿入した５封止線材は３１コネクターから脱落することを防ぐ目的で挿入方向の逆方向へ折り曲げ３２蓋開放認識スイッチ１の上を通過させる。【００２５】  図１、図２において、５封止線材を取り付けた状態で３蓋開放検出回路を４底箱に入れ、５封止線材を４１底箱封止線材通過口１から引き出す。このとき組上げた３蓋開放検出回路の下側に取り付けてある３５両面テープの剥離紙を剥がし４底箱の内部に貼付する。【００２６】  図１，図２において、４１底箱封止線材通過口１から引き出された５封止線材を、６収容箱の設置状況に応じて６収容箱の周囲にある８遊技機内部の構造体の７肉抜開口部あるいは配線貫通口を通して帯状・十文字状に外れないよう巻き付け固定する。【００２７】  図１、図２において，収容箱の周囲に帯状・十文字状に巻き付け固定した５封止線材を４２底箱封止線材通過口２へ挿入し、３３蓋開放認識スイッチ２および３４終端回路の上を通過させ６収容箱を緊縛するように５封止線材を緊張させる。【００２８】  図１、図２において、５封止線材の上から２切断中蓋を４底箱の中に入れ押さえ込む。このとき２切断中蓋裏面の２２両面テープが５封止線材に粘着して５封止線材の緊張を保持し緩み止めとして働く。【００２９】  図１、図２において、２１切断刃部分から突き出した５封止線材を２１切断部分に出来るだけ近い部位で逆方向に折り曲げ、２切断中蓋の上を通して１１上蓋封止線材通過口１から引き出す。【００３０】  図１、図２において、４底箱の上から１上蓋を被せて押し込み封緘を完結する。
【実施例】
【００３１】
【００３２】
【図面の簡単な説明】
【００３３】
【図１】  開封監視用センサー全体の部品構成図
【図２】  封止線材巻き付け方法を示す立体図
【図３】  封止箱の上蓋の切断面位置を示す図
【図４】  封止箱の上蓋の図３におけるＡ−Ａ線断面図
【図５】  封止箱の上蓋の図３におけるＡ−Ａ線断面図と底蓋結合時の断面図
【符号の説明】
【００３４】１    上蓋
２    切断中蓋
３    蓋開放検出回路
４    底蓋
５    封止線材
６    収容箱
７    肉抜開口部あるいは配線貫通口
８    遊技機内部の構造体
１１  上蓋封止線材通過口１
１２  上蓋封止線材通過口２
２１  切断中蓋
２２  両面テープ
３１  コネクター
３２  蓋開放認識スイッチ１
３３  蓋開放認識スイッチ２
３４  終端回路
３５  両面テープ
３６  封止線材挿入口
４１  底箱封止線材通過口１
４２  底箱封止線材通過口２
４３  両面テープ
【図１】
2006075568.tif 000003
【図２】
2006075568.tif 000004
【図３】
2006075568.tif 000005
【図４】
2006075568.tif 000006
【図５】
2006075568.tif 000007
【手続補正書】
【提出日】平成16年12月1日(2004.12.1)
【手続補正２】
【補正対象書類名】特許請求の範囲
【補正対象項目名】全文
【補正方法】追加
【補正の内容】
【特許請求の範囲】
【請求項１】
パチンコ・パチスロ機等の遊技機における電子回路部を収容する透明樹脂製箱すなわち収容箱の異常開封を検知するセンサー装置。
【手続補正書】
【提出日】平成17年11月14日(2005.11.14)
【手続補正１】
【補正対象書類名】特許請求の範囲
【補正対象項目名】全文
【補正方法】変更
【補正の内容】
【特許請求の範囲】
【請求項１】
パチンコ・パチスロ機等の遊技機における電子回路部を収容する透明樹脂製箱すなわち収容箱の異常開封を検知するセンサー装置。
【請求項２】
請求項１において、複数本の板状導線を樹脂フィルムで挟み込んだ配線材すなわちフレキシブル・フラット・ケーブルを封止線材として、封止する収容箱に帯状もしくは十字状に巻き付けた後、その終端部と電気的に結合された監視機能を持つプリント配線基盤と、封止線材を容易に切断できる刃と、それらを固定する封止箱とで構成することを特徴とする、収容箱の異常開封を検知するセンサー装置。